(57)【特許請求の範囲】
【請求項１】
交換機と、無線端末と通信する基地局とを備えた交換システムにおいて、
前記交換機は、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備え、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
交換システム。
【請求項２】
請求項１に記載の交換システムにおいて、
着信グループに対して、予め定められた着信先の無線端末、使用中・空きを表す端末状態を記憶する着信グループリスト
をさらに備え、
前記制御装置は、前記着信グループリストを参照し、呼出しする着信グループに登録されている着信先の無線端末の状態を判断し、着信先の無線端末の端末状態が空きの場合は、該無線端末を呼び出し、端末状態を使用中にセットすることを特徴とする交換システム。
【請求項３】
請求項１又は２に記載の交換システムにおいて、
前記制御装置は、前記無線端末の応答動作に対して、応答ガードタイマーが起動しているか判断し、
前記制御装置は、応答ガードタイマーの起動中に応答を検出した場合は、該応答を拒否し、
前記制御装置は、応答ガードタイマーが起動していないときに応答を検出した場合は、応答ガード時間を前記着信キューリストから読み取り、設定された応答ガード時間で応答ガードタイマーを起動し、応答した前記無線端末と着信呼を通話状態へ接続処理した後、通話状態となった着信呼を前記着信キューリストから削除し、
前記制御装置は、再度前記着信キューリストを検索し、残りのキューがある場合は、着信中鳴動中状態の前記無線端末に付加情報メッセージを送付する
ことを特徴とする交換システム。
【請求項４】
請求項１に記載の交換システムにおいて、
前記付加情報メッセージは、表示情報と着信音オフ制御情報を含み、
前記基地局の前記制御装置は、表示情報と着信音オフ制御情報を含む前記付加情報メッセージを前記無線端末に送出することにより、前記無線端末の表示情報を書き換えるとともに、着信音オフ制御情報により鳴動を停止することを特徴とする交換システム。
【請求項５】
請求項４に記載の交換システムにおいて、
前記着信キューリストは、着信呼のキュー毎に、さらに、予め設定された定められた鳴動停止時間を含み、
前記基地局の前記制御装置は、前記着信キューリストを参照し、着信に対応する鳴動停止時間を読み取り、
前記制御装置は、表示情報と着信音オフ制御情報を含む前記付加情報メッセージを送出し、鳴動停止タイマーによる前記鳴動停止時間の経過後、表示情報と着信音オン制御情報を含む付加情報メッセージを送出することにより、前記無線端末の表示情報を更新するとともに、着信音オン制御情報により着信音鳴動を開始する
ことを特徴とする交換システム。
【請求項６】
請求項４又は５に記載の交換システムにおいて、
前記制御装置は、前記無線端末の応答動作に対して、応答ガードタイマーが起動しているか判断し、
前記制御装置は、応答ガードタイマーの起動中に応答を検出した場合は、該応答を拒否し、
前記制御装置は、応答ガードタイマーが起動していないときに応答を検出した場合は、さらに鳴動停止タイマーが起動しているかを判断し、
前記制御装置は、鳴動停止タイマーが起動している場合は応答を拒否し、
前記制御装置は、鳴動停止タイマーが起動していないときに応答を検出した場合は、応答ガード時間を前記着信キューリストから読み取り、設定された応答ガード時間で応答ガードタイマーを起動し、応答した前記無線端末と着信呼を通話状態へ接続処理した後、通話状態となった着信呼を前記着信キューリストから削除し、
前記制御装置は、前記着信キューリストを検索し、残りキューがある場合、着信応答した前記無線端末以外の無線端末へ表示情報と着信音オフ制御情報を含む付加情報メッセージを送出し、前記着信キューリストから鳴動停止時間を読み取り、鳴動停止タイマーを起動する
ことを特徴とする交換システム。
【請求項７】
請求項６に記載の交換システムにおいて、
前記制御装置は、前記鳴動停止タイマーの満了後、空きの無線端末に対して、表示情報と着信音オン制御情報を含む付加情報を送出して、着信端末の鳴動を再開させる
【請求項８】
請求項１乃至７のいずれかに記載の交換システムにおいて、
前記表示情報は、発信者番号・発信元番号、発信者名・発信元名、発信者識別情報・発信元識別情報、着信者番号・宛先番号、着信者名・宛先名、着信者識別情報・宛先識別情報、グループ着信内の着信番号若しくは着信数、のいずれかひとつ又は複数であることを特徴とする交換システム。
【請求項９】
交換機と、無線端末と通信する基地局とを備えた交換システムにおいて、
前記交換機は、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備えた、前記交換システムにおける着信制御方法であって、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
着信制御方法。
【請求項１０】
交換機と、無線端末と通信する基地局とを備えた交換システムにおける前記交換機であって、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備え、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
交換機。
【発明の詳細な説明】
【技術分野】
【０００１】
本発明は、交換システム及び着信制御方法、交換機に係る。本発明は、特に、社団法人電波産業会（ＡＲＩＢ）標準「第二世代コードレス電話システム標準規格」（ＲＣＲ  ＳＴＤ７８）等の規定に従い、ＰＨＳ（Ｐｅｒｓｏｎａｌ  Ｈａｎｄｙ  Ｐｈｏｎｅ  Ｓｙｓｔｅｍ）等の無線端末のサービス若しくは機能を提供する、構内電話交換機（ＰＢＸ）やボタン電話装置（キーテレホン）等の電話交換機、特に電話交換機からこの電話交換機に接続されるデジタルコードレス電話機（ＰＨＳ端末）等の無線端末への電話交換システム及び着信制御方法に関する。
【背景技術】
【０００２】
従来からＰＨＳを用いて、発信者からの発信要求によりグループ分けされている複数ＰＨＳ端末へ着信を知らせる方式が種々提案されている。
例えば特許文献１の特開平３−２３４１９６ではシステムのサービスエリアを複数のゾーンで構成し、それらのゾーンに対し無線基地局を配置し、そのゾーンに対応させてグループ分けした着信グループに所属する無線端末を順次呼び出しし、グループ着信を行う提案がされている。
また特許文献２の特許公開２００３−３３３１８０では１つの無線基地局に収容される複数の移動局（ＰＨＳ端末）が存在し、それらの各移動局（ＰＨＳ端末）は特定の着信グループに所属しており、着呼の際に、無線基地局から着信グループに所属する移動局に対しＰＣＨ（Ｐａｇｉｎｇ  ｃｈａｎｎｅｌ：一斉呼び出しチャネル）で着信があること一斉に知らせる提案がされている。
【先行技術文献】
【特許文献】
【０００３】
【特許文献１】特開平３−２３４１９６号公報
【特許文献２】特開２００３−３３３１８０号公報
【発明の概要】
【発明が解決しようとする課題】
【０００４】
上述どちらの従来技術においても、無線基地局から着信グループ内の各移動局（ＰＨＳ端末）に対して送出された着信信号を１台の移動局が受け付けると、他の移動局に対して着信停止信号を送出して着信状態を解除する。移動局が着信を受け付ける前に連続した複数の着信があった場合、着信を受け付けた端末以外の端末は一旦着信状態が解除され、その後再度着信状態へと移行するが、社団法人電波産業会（ＡＲＩＢ）標準「第二世代コードレス電話システム標準規格」（ＲＣＲ  ＳＴＤ７８）等の規定により、着信を受け付けていない移動端末が再度着信状態になるまでにタイムラグが発生する場合があるという課題があった。
本発明は、以上の点に鑑み、グループ着信中に次の呼が該当グループに着信した場合であっても、最初の呼をグループ着信中のＰＨＳ端末等の無線端末が応答した後、瞬時に次の呼の発信者情報を応答した無線端末以外の無線端末に表示することを可能とすることを、ひとつの目的とする。さらに、本発明は、次の呼の発信者情報を通知する前に着信音オフを送出し、再度発信者情報及び着信音オンを送出することにより、再度着信があったことを使用者に分かりやすくさせることを、他の目的とする。さらに、本発明は、グループ着信に最初に応答した後の無線端末は任意の時間中応答を拒否することでグループ着信中に複数の呼が着信している状態でも、無線端末の操作者が意図しない相手との誤接続を防止することを、他の目的とする。
【課題を解決するための手段】
【０００５】
本発明は、ＰＨＳ基地局等の基地局を接続する電話交換装置と、ＰＨＳ端末等の無線端末を含み、第二世代コードレス電話システム標準規格に準拠してＰＨＳ通信を可能とする電話交換システムの着信通知方法において、前述の電話交換装置は、発信者からの発信要求により予めグループ分けされている複数無線端末へ通知する情報をＵＳＣＣＨ（Ｕｓｅｒ  ｓｐｅｃｉｆｉｃ  ｃｏｎｔｒｏｌ  ｃｈａｎｎｅｌ）等の制御チャネルに格納して、該当ＰＣＨ等の一斉呼出しチャネルを前述の基地局から送出させてグループ着信を通知し、更に電話交換機より無線端末に表示させる表示情報をＡＣＣＨ（Ａｓｓｏｃｉａｔｅｄ  ｃｏｎｔｒｏｌ  ｃｈａｎｎｅｌ）等の制御チャネルに格納して送出し、無線端末は前述のＡＣＣＨ等の制御チャネルを受信し、受信した制御チャネル内に設定されている発信者の情報を表示部に表示を行い、前述の無線端末より応答操作が行われた場合、無線制御チャネルを利用し着信応答し通話できることを、ひとつの特徴とする。
【０００６】
本発明の第１の解決手段によれば、
交換機と、無線端末と通信する基地局とを備えた交換システムにおいて、
前記交換機は、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備え、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
交換システムが提供される。
【０００７】
本発明の第２の解決手段によれば、
交換機と、無線端末と通信する基地局とを備えた交換システムにおいて、
前記交換機は、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備えた、前記交換システムにおける着信制御方法であって、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
着信制御方法が提供される。
【０００８】
本発明の第３の解決手段によれば、
交換機と、無線端末と通信する基地局とを備えた交換システムにおける前記交換機であって、
各々の着信グループに対して、着信呼のキュー毎に、表示情報、呼出し中状態・呼出し待ち状態・空き状態かを表すキュー状態、該キュー毎に予め定められた応答ガード時間を記憶する着信キューリストと、
前記着信キューリストを参照してデータを読み出し及び書き込み、着信制御を行う制御装置と、
を備え、
第１の着信が前記交換機に通知されると、前記交換機の前記制御装置は、第１の着信がグループ着信かを判断し、第１の着信グループへのグループ着信であると判断した場合、該当する前記着信キューリストに、第１の着信、第１の着信の着信呼情報に含まれる表示情報、呼出し中のキュー状態を含むキューを登録し、登録したキューに対する予め記憶されている応答ガード時間を読みだし、応答ガードタイマーを起動し、
さらに、第２の着信が前記交換機に通知されると、前記制御装置は、第２の着信がグループ着信かを判断し、第１の着信グループへのグループ着信であると判断した場合、該当する前記着信キューリストに、第２の着信、第２の着信の着信呼情報に含まれる表示情報、呼出し待ちのキュー状態を含むキューを登録し、
前記着信キューリストに呼出し待ち状態の着信が１つ以上ある状態で、第１の着信に第１の無線端末が応答した場合、前記制御装置は、第１の着信に対して前記第１の無線端末を通話中とし、さらに、前記制御装置は、着信キューリストの表示情報を含めた付加情報メッセージを作成し、前記付加情報メッセージを、第１の着信に応答した前記第１の無線端末以外のひとつ又は複数の第２の無線端末に送出し、
前記ひとつ又は複数の第２の無線端末は、着信鳴動中の状態のまま受け付けた前記付加情報メッセージ中の表示情報により第２の無線端末の表示を切り替え表示する
交換機が提供される。
【発明の効果】
【０００９】
本発明によれば、電話交換装置は、ＡＲＩＢ標準「第二世代コードレス電話システム標準規格」（ＲＣＲ  ＳＴＤ７８）等の規定に準拠した手順もしくは方法によって、グループ着信中に次の呼が該当グループに着信した場合であっても、最初の呼をグループ着信中のＰＨＳ端末等の無線端末が応答した後、瞬時に次の呼の発信者情報を応答した無線端末以外の無線端末に表示することを可能とすることが出来る。さらに、本発明によれば、次の呼の発信者情報を通知する前に着信音オフを送出し、再度発信者情報及び着信音オンを送出することにより、再度着信があったことを使用者に分かりやすくさせることが出来る。さらに、本発明によれば、グループ着信に最初に応答した後の無線端末は任意の時間中応答を拒否することでグループ着信中に複数の呼が着信している状態でも、無線端末の操作者が意図しない相手との誤接続を防止することが出来る。
【図面の簡単な説明】
【００１０】
【図１】電話交換システムを示すシステム構成図である。
【図２】ＰＨＳ通信に用いるＡＲＩＢ標準  ＲＣＲ  ＳＴＤ−２８に準拠したスーパーフレームの構成を示す図である。
【図３】ＰＨＳ通信に用いるＡＲＩＢ標準  ＲＣＲ  ＳＴＤ−２８に準拠した着呼メッセージの構成を示す図である。
【図４】ＰＨＳ通信に用いるＡＲＩＢ標準  ＲＣＲ  ＳＴＤ−２８に準拠した付加情報メッセージの構成を示す図である。
【図５】ＰＨＳ通信に用いるＡＲＩＢ標準  ＲＣＲ  ＳＴＤ−２８に準拠した表示メッセージの構成を示す図である。
【図６】ＰＨＳ通信に用いるＡＲＩＢ標準  ＲＣＲ  ＳＴＤ−２８に準拠したシグナルメッセージの構成を示す図である。
【図７】構内電話交換機に設定記憶される着信キューリストの説明図である。
【図８】構内電話交換機に設定記憶される着信グループリストの説明図である。
【図９】従来グループ着信動作シーケンスの説明図である。
【図１０】着信動作シーケンスの説明図である。
【図１１】グループ着信動作シーケンス応用例の説明図である。
【図１２】着呼メッセージを送出するための着信動作フローチャートの説明図である。
【図１３】着呼メッセージを送出するための着信起動管理周期プログラム動作フローチャートの説明図である。
【図１４】付加情報メッセージを送出するための応答動作フローチャートの説明図である。
【図１５】応答ガードタイマー満了時の動作フローチャートの説明図である。
【図１６】図１０のＳ１０−２３に使用した付加情報（表示）メッセージに使用するメッセージ内容の具体例である。
【図１７】図１１のＳ１１−２２に使用した付加情報（表示＋着信音オフ）に使用するメッセージ内容の具体例である。
【図１８】図１１のＳ１１−２６に使用した付加情報（表示＋着信音オン）に使用するメッセージ内容の具体例である。
【図１９】着信グループ判定テーブルの説明図である。
【図２０】応答ガードタイマーについての説明図である。
【図２１】Ｓ１１−１８における構内電話交換機の応答動作の詳細を示したフローチャート図である。
【図２２】鳴動停止タイマー満了時の動作フローチャートの説明図である。
【発明を実施するための形態】
【００１１】
以下、本発明の実施の形態について図面を参照し説明する。
１．システム
本実施の形態では、特に、ＰＨＳ端末、ＰＨＳ基地局、構内電話交換機（ＰＢＸ）等を例に説明するが、本発明は、これらに限らず、それぞれ、無線端末、基地局、交換機等に適用することができる。また、標準規格として、ＡＲＩＢ標準  ＲＣＲ  ＳＴＤ７８、ＲＣＲ  ＳＴＤ−２８等を採用した場合を例に説明するが、本発明は、これらに限らず、適宜の規格に適用することができる。
図１は、本実施の形態の電話交換システムを示すシステム構成図である。この電話交換システムは、電話交換装置である構内電話交換機（ＰＢＸ）１と、複数台の内線電話機（ＴＥＬ）２と、複数台のデジタル多機能電話機（ＭＦＴ）３と、ＰＨＳ基地局（ＢＳ）４−１〜４−ｎと、ＰＨＳ端末（ＰＳ）５−１〜５−ｎ、６−１、６−２と、メンテナンスパネル（ＭＰ）９とを含んで構成している。
また、構内電話交換機（ＰＢＸ）１は、電話端末（電話機やデジタル多機能電話機やＰＨＳ端末等）や回線（公衆電話網７の局線等）の回線交換を行う通話路スイッチ（ＳＷ）１０を備えており、この通話路スイッチ１０には、内線回路（ＬＩＮ）１１、デジタル内線回路（ＤＬＩＮ）１２、コードレス電話トランク（ＤＲＩＦ）１４−１〜１４−ｎ、局線トランク（ＣＯＴ）１４が接続収容されている。
内線回路１１は、複数台の内線電話機（ＴＥＬ）２を接続し、これらを制御（発信／着信制御等）して、構内電話交換機１とのインターフェースを行うものである。
デジタル内線回路１２は、複数台のデジタル多機能電話機（ＭＦＴ）３を接続し、これらを制御（発信／着信制御等）して、構内電話交換機１とのインターフェースを行うものである。
コードレス電話トランク（ＤＲＩＦ）１４−１〜１４−ｎは、ＰＨＳ基地局（ＢＳ）４−１〜４−ｎをそれぞれ接続し、これを制御（発信／着信制御等）して、構内電話交換機１とのインターフェースを行うものである。
局線トランク１３は、公衆電話網７からの局線回線を接続し、これを制御（発信／着信制御等）して、構内電話交換機１とのインターフェースを行うものである。
また、構内電話交換機１は制御装置１５を備えており、この制御装置１５は、構内電話交換機１の全体を統制・制御して呼接続制御を行っており、本実施の形態のスーパーフレーム生成の制御を行っている。制御バス１８を介して、制御装置１５には、記憶装置１６が接続されている。記憶装置１６には、本実施の形態の着信キューリスト１６１や着信グループリスト１６２、着信グループ判定テーブル１６３等の各種テーブルを格納しているものである。更に、制御バス１８には、構内電話交換機１の動作に必要な前述の局データを設定するために用いられる端末装置であるメンテナンスパネル（ＭＰ）９を接続する入出力装置１６が接続されている。そして、構内電話交換機１の使用にあたって、使用条件等に応じてメンテナンスパネル９から記憶装置１７に対して局データを設定できるようにしている。図１の例では、記憶装置１７に登録されたデータにより、ＰＨＳ端末（ＰＳ）５−１〜５−ｎを着信グループ１、６−１，６−２を着信グループ２として定義している。
さらに、構内電話交換機１は、ＰＨＳサービスを提供する機能を有しており、複数台のＰＨＳ端末（ＰＳ）５−１〜５−ｎ、６−１，６−２を内線電話機として利用できるように収容している。そして、このＰＨＳサービスは、例えばＡＲＩＢ標準「第二世代コードレス電話システム標準規格」（ＲＣＲ  ＳＴＤ７８）等の規定に準拠した手順若しくは方法によって行われるものである。従って、呼設定、通話、その他の電話交換動作に関する、ＰＨＳ基地局４−１〜４−ｎと、ＰＨＳ端末（ＰＳ）５−１〜５−ｎ、６−１，６−２との間の無線通信は、ＡＲＩＢ標準  ＲＣＲ  ＳＴＤ−２８の規定に準拠して行われるものである。
【００１２】
図２は、本実施の形態のＰＨＳ通信に用いるＡＲＩＢ標準  ＲＣＲ  ＳＴＤ−２８に準拠したスーパーフレームの構成を示す図である。スーパーフレームは制御用物理スロットを使用し定常的間欠送信される。スーパーフレームの構成は、ＡＲＩＢ標準  ＲＣＲ  ＳＴＤ−２８に準拠して構成されており、ＰＨＳ基地局４−１〜４ｎからＰＨＳ端末５−１〜５−ｎ、６−１、６−２へ送信される方向の無線通信チャネルは、図２に示すデータフレームによって伝送されている。ＰＨＳシステムのＰＨＳ基地局とＰＨＳ端末間における無線区間のデータ伝送方式は、ＴＤＭＡ−ＴＤＤ（Ｔｉｍｅ  Ｄｉｖｉｓｉｏｎ  Ｍｕｌｔｉ  Ａｃｃｅｓｓ−Ｔｉｍｅ  Ｄｉｖｉｓｉｏｎ  Ｄｕｐｌｅｘ）方式が採用されている。このＴＤＭＡ−ＴＤＤ方式は、所定の時間長を有するデータフレームを伝送データの一単位として、論理制御チャネル（Ｌｏｇｉｃａｌ  Ｃｏｎｔｒｏｌ  Ｃｈａｎｎｅｌ（ＬＣＣＨ））スーパーフレーム（以下、「スーパーフレーム」と称する。）を構成する。そして、このスーパーフレームを所定周期（例えば１．２秒周期）で繰り返し、繰り返し伝送することにより各種制御データの伝送を行う。また、このスーパーフレームは複数のタイムスロットに分割されており、各々のタイムスロット毎に異なる種類の制御データが所定のビットパターンに変換され重畳される。図２において、スーパーフレームは、ＰＨＳ基地局からＰＨＳ端末に制御情報を報知するチャネルであって、チャネル構造に関する情報や、システム情報等を転送する報知チャネル（Ｂｒｏａｄｃａｓｔ  Ｃｏｎｔｒｏｌ  Ｃｈａｎｎｅｌ）（以下、「ＢＣＣＨ（Ａ）」と称する。）、ＰＨＳ基地局とＰＨＳ端末の間で呼接続に必要な情報を転送するチャネルであって、セル毎に独立の情報を転送する個別セル用チャネル（Ｓｉｎａｌｉｎｇ  Ｃｏｎｔｒｏｌ  Ｃｈａｎｎｅｌ）（以下、「ＳＣＣＨ」と称する。）、及び、ＰＨＳ基地局からＰＨＳ端末に対して、単一セルあるいは複数のセルの広いエリア（一斉呼出エリア）に同一の情報を一斉に転送するポイント−マルチポイントの一斉呼出チャネル（Ｐａｇｉｎｇ  Ｃｈａｎｎｅｌ）（以下、「ＰＣＨ」と称する。）を含む。本実施の形態では、ＳＣＣＨが５つ、ＰＣＨが２つ（ＰＣＨ１及びＰＣＨ２）があり、図２に示すように、「ＢＣＣＨ（Ａ）」２−１、「ＳＣＣＨ」２−２、「ＳＣＣＨ」２−３、「ＰＣＨ１」２−４、「ＳＣＣＨ」２−５、「ＳＣＣＨ」２−６、「ＳＣＣＨ」２−７、「ＰＣＨ２」２−８を含む。また制御用物理スロット以外に通信用物理スロットがあり各ＰＨＳ端末が通信のために専用使用し、個別の呼設定制御に必要な制御チャネルや情報チャネルが設定される。通信用物理スロットを使用する情報としてＳＡＣＣＨ（Ｓｌｏｗ  Ａｓｓｏｃｉａｔｅｄ  ｃｏｎｔｒｏｌ  ｃｈａｎｎｅｌやＦＡＣＣＨ（Ｆａｓｔ  Ａｓｓｏｃｉａｔｅｄ  ｃｏｎｔｒｏｌ  ｃｈａｎｎｅｌ）がある。
【００１３】
図３は、ＡＲＩＢ標準  ＲＣＲ  ＳＴＤ−２８に準拠して構成されたＰＣＨで送出される着呼メッセージの構成を示した図である。構内電話交換機がＰＨＳ端末に呼設定を送出した時にＰＨＳ基地局からＰＨＳ端末にむけて着呼情報が送出される。着呼情報には発番号が含まれ、これを受けたＰＨＳ端末はＰＨＳ端末の表示部に発信者番号を表示することが出来る。
図４は、ＡＲＩＢ標準  ＲＣＲ  ＳＴＤ−２８に準拠して構成されたＳＡＣＣＨで送出される付加情報メッセージの構成を示した図である。また、図５は、ＡＲＩＢ標準  ＲＣＲ  ＳＴＤ−２８に準拠した表示メッセージの構成を示す図、図６は、ＡＲＩＢ標準  ＲＣＲ  ＳＴＤ−２８に準拠したシグナルメッセージの構成を示す図である。
付加情報メッセージには図５に示す表示メッセージや図６に示すシグナルメッセージなどを送出することができ、また各情報を連結して送出することも可能である。ＳＡＣＣＨはＰＨＳ基地局からＰＨＳ端末またはその逆から必要時に送出することが可能である。
図５の表示情報は、例えば、オクテット１に「表示」を示す「００１０１０００」が設定される。オクテット２の表示内容長はオクテット３以降のデータ長を示し、オクテット３以降の表示情報はＩＡ５キャラクターセットを使用して表示内容を通知する。たとえば「０」は「０１００００００」、「１」は「０１０００００１」といった内容になる。
図６のシグナル情報は、例えば、オクテット１に「シグナル」を示す「００１１０１００」が設定される。オクテット２のシグナル内容長はオクテット３以降のデータ長となるが、シグナルのデータは１固定であるためこの場合は「０００００００１」となる。オクテット３のシグナル内容値はたとえば呼出音オンの場合は「０００００００１」、呼出音オフの場合は「０１００１１１１」となる。
【００１４】
次に、記憶装置に記憶されるリスト及びテーブルについて説明する。
図７は、着信キューリストの説明図である。着信キューリストＤ７は着信グループＤ７−ａ毎に複数のキューを保有する。着信Ｄ７−ｂは着信呼を管理し、着信グループへの着信があった場合、その着信が着信Ｄ７−ｂへ制御装置が記憶し、それと同時に発信者番号を通知している場合はＤ７−ｃへ発信者番号を記憶する。状態Ｄ７−ｄはキューに登録された着信呼が呼出し中状態であるか、呼出し待ち状態であるか、空き状態であるかを記憶している。応答ガード時間Ｄ７−ｅ及び鳴動停止時間Ｄ７−ｆは図１メンテナンスパネル９より入力され記憶装置に予め記憶登録される。応答ガード時間Ｄ７−ｅはグループ着信した複数のＰＨＳ端末が同時に応答した場合の、２つ目以降の応答を拒否する時間に用い、２個目以降の応答はこの時間以内は全て応答が拒否される。例えば、図７の着信グループ１の先頭キューにおいては、グループ着信に対して、あるＰＨＳ端末による最初の応答後、応答ガード時間である５００ｍｓ以内のグループ内の他のＰＨＳ端末による応答は全てその応答が拒否されることを意味する。鳴動停止時間Ｄ７−ｅはグループ着信中にＰＨＳ端末が応答した際、次の着信をＰＨＳ端末に通知する時にＰＨＳ端末の鳴動を停止する時間を決定するために用い、構内電話交換機は鳴動停止からこの時間が経過後ＰＨＳ端末に再度鳴動開始を指示する。例えば、図７の着信グループ１の先頭キューにおいては、グループ着信に対してあるＰＨＳ端末が応答してから鳴動停止時間である８００ｍｓ間、グループ内の他のＰＨＳ端末の鳴動を停止し、その後再度鳴動を開始することを意味する。
図８は、着信グループリストの説明図である。着信グループリストＤ８は着信グループＤ８−ａ、着信先内線Ｄ８−ｂ，状態Ｄ８−ｃを含み、着信グループに着信した際に呼出し先内線を特定するために用いられる。着信グループＤ８−ａ、着信先内線Ｄ８−ｂは図１のメンテナンスパネル９らの入力により記憶装置に予め記憶される。また状態Ｄ８−ｃは着信先内線の端末状態を表し、空き状態と使用中状態であるかを記憶している。登録されている着信先内線が通話中や受話器を上げているときなど内線の操作を行っている時には「使用中」になり、それ以外は「空き」となる。図５においては着信グループ１には着信先内線１０００〜１００９が属しており、着信グループ２には着信先内線２０００、２００１が属している。
図１９は、着信グループ判定テーブルの説明図である。着信グループ判定テーブルは、局線番号Ｄ１９−ａに対して、着信グループＤ１９−ｂが予め記憶されている。
【００１５】
２．動作
図９は、本発明の関連技術でのグループ着信シーケンス説明図である。
図１の電話端末２やデジタル多機能電話機３、公衆網７、ＰＨＳ端末などから着信１（Ｓ９−１）が構内電話交換機に通知されると、構内電話交換機は制御装置１５がグループ着信か否かを判断する。着信時おける動作は図１２の着信時フローチャート図により説明する。
図１２は、着呼メッセージを送出するための着信動作フローチャートの説明図である。着信が構内電話交換機に通知された時、構内電話交換機の制御装置は、その着信がグループ着信かそれ以外かを、図１９の着信グループ判定テーブルを利用し判断し、グループ着信であれば、着信呼がどの着信グループに属するか判断する。たとえば図１の公衆網から局線トランク１へ着信した場合は、制御装置は、着信グループ判定テーブルを参照して、「着信グループ１」と判断し、グループ着信の対象とする（Ｓ１２−１）。また、局線トランク２へ着信した場合は、制御装置は、グループ着信ではない（「なし」）と判断し、個別の着信などグループ着信以外の動作（Ｓ１２−３）を行う。例えば着信が着信グループ１への着信である時、制御装置は、着信呼がどの着信グループに属するか判断し、該当する着信キューリスト（図７）に登録する（Ｓ１２−２）。このとき、呼設定情報等の着呼情報に発信者番号が含まれていれば、それも着信キューリストに記憶する。その後、制御装置は、該当着信グループが既に呼出し中か判断（Ｓ１２−４）する。例えば、着信キューリストの状態Ｄ７−ｄを参照することで、「呼出し中」のキューがあるか否かにより、呼出し中かどうかの判断をすることができる。呼出し中である場合は、制御装置は、呼出し処理を実施せずに図７の着信キューリストの状態Ｄ７−ｄに「呼出し待ち」を登録する（Ｓ１２−５）。Ｓ１２−４において着信キューリストの状態Ｄ７−ｄが全て「空き」である場合又は「呼出し中」のキューがない場合、制御装置は、状態Ｄ７−ｄに「呼出し中」を登録し着信起動監視周期プログラムを起動する（Ｓ１２−７）。
【００１６】
図１３は、着信起動監視周期プログラムの処理フローチャート図である。図１３のフローチャートは図９のＳ９−２〜Ｓ９−７に相当する。
着信起動監視周期プログラムでは、制御装置は、図８の着信グループリストからエントリを読み出し、状態Ｄ８−ｃにより呼出しする着信グループに登録されている着信先内線の状態を判断（Ｓ１３−１）し、使用中である場合は着信グループリストの全部を確認したか判断（Ｓ１３−５）し、未完了であればＳ１３−１の処理を再度実施、完了している場合はＳ１３−６で次の起動タイミングが来るまで待機する。Ｓ１３−１で着信先内線状態が空きの場合は、制御装置は、対象内線を呼び出す。これは図９のＳ９−２に相当する。呼設定情報には図３の着呼情報が含まれ、着呼情報の発番号は図７−ｃの発信者番号から読み取られて送出される。制御装置は、呼出した内線が正常に呼び出されたか図９のＳ９−３〜Ｓ９−７により確認（Ｓ１３−３）後、正常に呼出しが出来ない場合は、Ｓ１３−５以降を実施し、正常に呼出し出来た場合は図８の状態Ｄ８−ｃを「使用中」にセットする。次周期以降での処理では、制御装置により、状態Ｄ８−ｃが「使用中」の着信先内線は呼出しの対象から外され、また呼び出そうとした内線が通話等で使用中の場合から空きの状態になった場合、本着信起動監視周期プログラムにより必ず着信が行われるように制御される。なおＳ９−３の着呼及びＳ９−４、Ｓ９−７はＰＣＨによりＰＨＳ基地局とＰＨＳ端末１間で無線情報の伝送がとりおこなわれる。
図９で、ＰＨＳ端末２への着信においてもＳ９−２〜Ｓ９−７と同じ手順によりＰＨＳ端末２が着信状態となる。２台以上のＰＨＳ端末が着信状態となった後に呼出し中の例えばこの場合着信グループ１への新たな着信２が構内電話交換機に通知された場合、図１２の着信動作フローチャートにより（Ｓ１２−１、１２−２、１２−４、１２−６）、着信２は着信キューリストに登録され、「呼出し待ち」の状態となり呼出し動作を保留している。
着信キューリストに呼出し待ち状態の着信が１つ以上ある状態で、着信中の例えばＰＨＳ端末１がオフフック応答（Ｓ９−１６）した場合、ＰＨＳ端末１からＰＣＨで応答（Ｓ９−１７）をＰＨＳ基地局へ通知、ＰＨＳ基地局は構内電話交換機に応答（Ｓ９−１８）を通知する。その応答確認通知を構内電話交換機からＰＨＳ基地局（Ｓ９−１９）、ＰＨＳ基地局からＰＨＳ端末１（Ｓ９−２０）へ通知して着信１とＰＨＳ端末１が通話中となる。応答したＰＨＳ端末以外には構内電話交換機から切断（Ｓ９−２１）をＰＨＳ基地局に通知、ＰＨＳ基地局からＳＡＣＣＨで切断（Ｓ９−２２）をＰＨＳ端末２に通知し、以降ＡＲＩＢ標準  ＲＣＲ  ＳＴＤ−２８等の規格による切断シーケンスに従いＳ９−２６までを実施し、ＰＨＳ端末２を空き状態へと移行させる。
空き状態になったＰＨＳ端末２は、図１２の動作フローチャートにより着信キューリストに登録されている「呼出し待ち」の着信を、Ｓ９−２〜Ｓ９−７と同じ手順により着信状態と移行させる。しかし、着信が複数呼ある場合、ＰＨＳ端末が着信鳴動停止状態Ｓ９−２７から再度着信状態Ｓ９−３５の状態に移行するには図２で説明したＲＣＲ  ＳＴＤ−２８のスーパーフレーム等のＰＣＨ伝送時間の制限があるため、例えば１．２秒以上の時間がかかってしまう。ＰＨＳ端末が２台程度である場合は少しの遅延時間ではあるが、着信グループに例えば１０台のＰＨＳ端末が存在する場合は、最後のＰＨＳ端末を再度呼び出すまでに例えば１０．８ｓ以上の着信遅延時間となり最初の表示を切り替えたＰＨＳ端末との差が大きくなってしまい使用者の利便性に欠けてしまう場合が想定される。
【００１７】
この再度着信時のタイムラグを軽減することを目的としている以下の動作について説明する。
図１０は、グループ着信動作シーケンス図である。着信１が構内電話交換機へ通知され（Ｓ１０−１）ＰＨＳ端末１が応答する（Ｓ１０−２０）までは、前述した本発明の関連技術と同様のため説明を割愛する。
ここで、構内電話交換機は、着信に対してＰＨＳ端末１による最初の応答を処理した時点で応答ガードタイマーを起動する。タイマー値は、着信キューリストを参照し、該当する着信グループのキューリストから応答ガード時間を読み取り設定する。
Ｓ１０−２１において図７の着信キューリストに「呼出し待ち」のキューが存在する場合、構内電話交換機は、応答したＰＨＳ端末以外に付加情報（表示）メッセージを送出するようにＰＨＳ基地局に送出する（Ｓ１０−２２）。付加情報（表示）メッセージは該当する着信キューの発信者番号を元に表示情報を制御装置が作成し、ＰＨＳ基地局に送出後、ＰＨＳ基地局はＳＡＣＣＨ等の付加情報（表示）メッセージを、この場合はＰＨＳ端末２に送出する。これを受け付けたＰＨＳ端末２は、着信鳴動中の状態のまま受け付けた付加情報の中の表示情報により表示のみを切り替え、新しい着信呼の例えば発信者番号などを表示することが出来る。付加情報メッセージを送出するＳＡＣＣ等の制御チャネルは前述した通りＡＲＩＢ標準  ＲＣＲ  ＳＴＤ−２８等の規定上、必要時に送出することが可能であるため、ＰＣＨのような例えば１．２ｓ間の待ち時間がなく複数の端末に付加情報（表示）情報メッセージを即座に送出し、ＰＨＳ端末の表示を更新することが可能であるため、前述の本発明の関連技術に記載した着信鳴動停止から再度着信するまでのタイムラグを軽減するとともに、着信グループに複数台のＰＨＳ端末が存在する場合でも、最初のＰＨＳ端末の表示切り替えから最後のＰＨＳ端末の表示切り替えまでのタイムラグを軽減することが出来る。
【００１８】
図１１は、本実施の形態でのグループ着信動作シーケンスの応用例である。
図１１は、図１０の再着信時の付加情報（表示）メッセージ（Ｓ１０−２２）を送出する際に着信鳴動を一時停止させる場合のシーケンス図である。Ｓ１１−２０までは前述した本発明の関連技術のＳ９−２０までと同一であるため説明を割愛する。
ここで、構内電話交換機は、着信に対してＰＨＳ端末１による最初の応答を処理した時点で応答ガードタイマーを起動する。タイマー値は、着信キューリストを参照し、該当する着信グループのキューリストから応答ガード時間を読み取り設定する。
構内電話交換機は、グループ着信した着信呼に応答したＰＨＳ端末以外の端末へは付加情報（表示＋着信音オフ）メッセージをＰＨＳ基地局へ送出（Ｓ１１−２２）する。ＰＨＳ基地局は、受けた付加情報（表示＋着信音オフ）メッセージをＳＡＣＣＨ等の制御チャネルでＰＨＳ端末に送出（Ｓ１１−２３）することによりＰＨＳ端末の表示情報を書き換えるとともに着信音オフにより鳴動を停止する。構内電話交換機は前述の付加情報（表示＋着信音オフ）メッセージを送出後、例えば図７の着信キューリストに鳴動停止時間Ｄ７−ｆを設け、その設定値時間監視後ＰＨＳ基地局へ付加情報（表示＋着信音オン）を送出（Ｓ１１−２６）する。ＰＨＳ基地局は、受けた付加情報（表示＋着信音オン）メッセージをＳＡＣＣＨ等の制御チャネルでＰＨＳ端末に送出（Ｓ１１−２７）することで表示を更新するとともに、鳴動音オン情報によりＰＨＳ端末の着信音鳴動を開始する（Ｓ６−２８）。
本応用例を用いることにより、２つ目以降の着信呼を再着信させる際に、最初のＰＨＳ端末が着信鳴動を開始後、最後のＰＨＳ端末の鳴動が開始するまでのタイムラグが軽減された着信鳴動のオフから着信鳴動音オンを制御することが可能となり、本発明の関連技術での動作のように着信先ＰＨＳ端末の操作者に対し新たな着信であることをＰＨＳ端末の画面表示を見なくても知らせることが可能であり操作者の利便性を向上させることが出来る。
【００１９】
図１４は、Ｓ１０−１８における構内電話交換機の応答動作の詳細を示したフローチャート図である。また、図２０は、応答ガードタイマーについての説明図である。
図１４のフローチャートは、制御装置により、各ＰＨＳ端末の応答動作に対して個々に起動し並列処理される。まず、制御装置は、応答ガードタイマーが起動しているか判断（Ｓ１４−１）し、起動している場合は応答を拒否し、拒否されたＰＨＳ端末は空き状態へと移行する。応答ガードタイマーは図２０のように、制御装置が、着信に対して最初の応答、応答１が処理された時点で応答ガードタイマーを起動する。タイマー値は、該当する着信グループの着信キューリストから、制御装置が応答ガード時間を読み取り設定する。たとえば着信グループ１の着信１の場合は、制御装置は、図７の着信キューリストより、応答ガード時間である５００ｍｓを読み取り設定する。応答ガードタイマーのガード時間中に応答２が来た場合は、制御装置は、図１４のフローチャートにより応答ガードタイマー起動中と判定し、その応答が拒否される。また応答ガードタイマーのガード時間が終了後の応答３については、制御装置は、図１４のフローチャートにより応答ガードタイマー未起動と判断し、応答処理を実施する。
この応答ガードタイマーでの応答ガードは、本実施の形態では１つのＰＨＳ端末が応答した後でも、他の端末は着信中状態のままであるため、複数の着信があるときに複数のＰＨＳ端末が同時に応答した場合、ＰＨＳ端末の表示情報を見て応答した応答者が応答処理順で２番目以降となった場合、操作者が意図しない着信呼と通話させないため着信状態を解除し空き状態へ移行させるためのものである。
また、図１５は、応答ガードタイマー満了時の動作フローチャートの説明図である。図１５により応答ガードタイマー満了時は応答ガードタイマーを停止（Ｓ１５−１）しその後の応答を受け付けるようにしている。
図１４のＳ１４−１で応答ガードタイマーが起動していない場合、応答ガードタイマーを図７の応答ガード時間Ｄ７−ｅから制御装置が読み取り、タイマー停止時間を設定後、応答ガードタイマーを起動する（Ｓ１４−２）。そして、制御装置は、応答したＰＨＳ端末と着信呼を通話状態へするための接続処理を実施（Ｓ１４−３）し、その後通話状態となった着信呼を着信キューリストから削除する（Ｓ１４−４）。なお、このとき制御装置は、例えば、該当着信キューの着信Ｄ７−ｂ、発信者番号Ｄ７−ｃ、状態Ｄ７−ｄの情報を削除し、応答ガード時間Ｄ７−ｅ及び鳴動停止時間Ｄ７−ｆはそのまま残し、次の着信キューの着信Ｄ７−ｂ、発信者番号Ｄ７−ｃ、状態Ｄ７−ｄ情報をそれぞれシフトすることができる。制御装置は、通話状態の着信キューを削除した後、応答内線以外の内線に対して図８の着信グループリストの状態Ｄ８ｃを「使用中」から「空き」に設定する（Ｓ１４−５）。その後、制御装置は、再度着信キューリストを検索し（Ｓ１４−５）残りのキューがある場合は、付加情報（表示）メッセージを送出（Ｓ１４−７）することで、着信中鳴動中状態のＰＨＳ端末に付加情報（表示）メッセージを送付することを可能としている。尚、着信キューリストに残キューが無い場合は応答したＰＨＳ以外のＰＨＳをすべて切断し空き状態とする（Ｓ１４−８）
【００２０】
図２１は、Ｓ１１−１８における構内電話交換機の応答動作の詳細を示したフローチャート図である。図２１のフローチャートは、制御装置により、各ＰＨＳ端末の応答動作に対して個々に起動し並列処理される。まず、制御装置は、応答ガードタイマーが起動しているか判断（Ｓ２１−１）し、起動している場合は応答を拒否し（Ｓ２１−１３）、拒否されたＰＨＳ端末は空き状態へと移行する。さらに制御装置は、鳴動停止タイマーが起動しているかも判断（Ｓ２１−２）し、起動している場合は応答を拒否し（Ｓ２１−１３）、拒否されたＰＨＳ端末は空き状態へと移行する。鳴動停止中の応答に対する応答拒否に関しては、本実施の形態では鳴動停止状態でも着信中状態のままであるため着信中端末の誤応答を防止することを目的としている。
その後Ｓ２１−３からＳ２１−９は、図１４と同様の処理となるため説明を割愛する（Ｓ１４−２〜Ｓ１４−６、Ｓ１４−８参照）。
着信キューリストに残りキューがある場合、制御装置は、Ｓ２１−７により応答内線以外の内線へ付加情報（表示＋着信音オフ）を送出する。このとき、制御装置は、着信キューリストから鳴動停止時間Ｄ７−ｆを読み取り、鳴動停止タイマーを起動する。
【００２１】
図２２は、鳴動停止タイマー満了時の動作フローチャートの説明図である。鳴動停止タイマーで指定された時間後の処理として、制御装置は、図２２のＳ２２−１により着信グループリストの空き内線に対して付加情報（表示＋着信音オン）を送出して着信端末の鳴動を再開させる。また、制御装置は、鳴動停止ターマーを停止する（Ｓ２２−２）。
図１６は、図１０のＳ１０−２３に使用した付加情報（表示）メッセージに使用するメッセージ内容の具体例である。付加情報（表示）は図５の表示情報が図４の付加情報に連結した形で制御装置により生成される。図１６のオクテット１からオクテット５までは付加情報を示し、本例では付加情報のオクテット５メッセージ種別に「表示（０１１１１０１１）」を設定しオクテット８からの表示情報に「０３１２３４５６７８」を設定することで、本情報が通知されたＰＨＳ端末は着信鳴動中にＰＨＳ端末の表示内容を「０３１２３４５６７８」に書き換えることが出来る。
図１７は、図１１のＳ１１−２２に使用した付加情報（表示＋着信音オフ）に使用するメッセージ内容の具体例である。本例では表示情報に全てスペースを設定することによりＰＨＳ端末の表示情報を消去し、更に付加情報にメッセージ種別「シグナル」を連結し着信音のオフ（オクテット２０）を指定することで着信鳴動中状態のＰＨＳ端末の表示内容を消去し、着信音を停止させることでＰＨＳ端末操作者にあたかも空き状態であるかのように意識させることを可能としている。なお、本具体例では表示情報を全てスペースに設定しているが、表示内容部を「ＮＥＷ  ＣＡＬＬ」などのように設定することでＰＨＳ端末操作者に意識的に新しい着信があることを示すことも可能である。
図１８は、図１１のＳ１１−２６に使用した付加情報（表示＋着信音オン）に使用するメッセージ内容の具体例である。本例では表示情報に新たな着信の発信者番号「０３１２３４１１１１」と着信音オンを指定することでＰＨＳ端末の表示情報を「０３１２３４１１１１」に更新し、鳴動停止中の着信中ＰＨＳ端末の鳴動を再開させることが可能である。
【産業上の利用可能性】
【００２２】
本実施の形態では、特に、ＰＨＳ端末、ＰＨＳ基地局、構内電話交換機（ＰＢＸ）等を例に説明したが、本発明は、これらに限らず、無線端末、基地局、交換機等に適用することができる。また、標準規格として、ＡＲＩＢ標準  ＲＣＲ  ＳＴＤ７８、ＲＣＲ  ＳＴＤ−２８等を採用した場合を例に説明したが、本発明は、これらに限らず、適宜の規格に適用することができる。
また、表示情報として、特に発信者番号（発番号）について説明したが、本発明は、これに限らず、発信元番号、発信者名・発信元名、発信者識別情報・発信元識別情報、着信者番号・宛先番号、着信者名・宛先名、着信者識別情報・宛先識別情報、グループ着信内の着信番号若しくは着信数、等のひとつ又は複数の適宜の表示情報とすることができる。
【符号の説明】
【００２３】
１  ・・・構内電話交換機（ＰＢＸ）
１１・・・通話路スイッチ（ＳＷ）
１２・・・内線回路（ＬＩＮ）
１３・・・デジタル内線回路（ＤＬＩＮ）
１４−１〜１４−ｍ・・・コードレス電話トランク（ＤＲＩＦ）
１５−１〜１５−ｎ・・・局線トランク（ＣＯＴ）
１７・・・制御装置
１８・・・記憶装置
１９・・・入出力装置
２０・・・制御バス
２  ・・・内線電話機
３  ・・・デジタル多機能電話機
４−１〜４−ｍ・・・ＰＨＳ基地局（ＢＳ）
５−１〜５−ｐ・・・ＰＨＳ端末（ＰＳ）
６−１、６−２・・・ＰＨＳ端末（ＰＳ）
７  ・・・公衆電話網
８  ・・・公衆一般電話機
９  ・・・メンテナンスパネル（ＭＰ）
【図１】
0005596624.tif 000002
【図２】
0005596624.tif 000003
【図３】
0005596624.tif 000004
【図４】
0005596624.tif 000005
【図５】
0005596624.tif 000006
【図６】
0005596624.tif 000007
【図７】
0005596624.tif 000008
【図８】
0005596624.tif 000009
【図９】
0005596624.tif 000010
【図１０】
0005596624.tif 000011
【図１１】
0005596624.tif 000012
【図１２】
0005596624.tif 000013
【図１３】
0005596624.tif 000014
【図１４】
0005596624.tif 000015
【図１５】
0005596624.tif 000016
【図１６】
0005596624.tif 000017
【図１７】
0005596624.tif 000018
【図１８】
0005596624.tif 000019
【図１９】
0005596624.tif 000020
【図２０】
0005596624.tif 000021
【図２１】
0005596624.tif 000022
【図２２】
0005596624.tif 000023